(57)【特許請求の範囲】
【請求項１】
被写体の画像を撮像する受光面に設けられた位相差検出エリア内に、瞳分割した第１の位相差検出画素及び第２の位相差検出画素で構成されるペア画素が配列形成された撮像素子と、
前記撮像素子の前段に置かれ、前記被写体の合焦した光学像を前記受光面に結像させる合焦位置に制御される撮像レンズと、
合焦する被写体を特定し、該合焦する被写体の領域及び背景エリアを含む包含エリアと、該合焦する被写体の領域の内部の一部からなり、背景エリアを含まない内包エリアとの各々を設定するエリア設定手段と、
前記設定した包含エリア及び内包エリアの各々の空間周波数分布を演算し、演算した空間周波数分布の各々に基づいて前記被写体の領域に対応する周波数域の空間周波数を除去するフィルタを作成するフィルタ作成手段と、
前記作成したフィルタを用いて前記被写体の領域に対応する周波数域の空間周波数に該当する前記第１の位相差検出画素の第１検出情報と前記第２の位相差検出画素の第２検出情報とを生成する生成手段と、
前記生成した第１検出情報と第２検出情報との相関関係を示す被写体の相関演算曲線を求め、該相関演算曲線から前記撮像レンズを前記合焦位置に制御する位相差を求める位相差演算手段と、
前記求めた位相差に基づき前記撮像レンズを前記合焦位置に制御する位置制御手段と、
を備えた撮像装置。
【請求項２】
前記フィルタ作成手段は、前記包含エリア及び内包エリアの空間周波数分布のうち類似した空間周波数分布の周波数域に対応する前記包含エリアの周波数域を、前記被写体の領域としてフィルタを作成する
ことを特徴とする請求項１に記載の撮像装置。
【請求項３】
前記フィルタ作成手段は、前記包含エリア及び内包エリアの空間周波数分布に基づいて、前記包含エリアの空間周波数分布について前記被写体の領域と背景領域との各々に対応する周波数域に分離し、分離した前記被写体の領域に対応する周波数域を、前記被写体の領域としてフィルタを作成する
ことを特徴とする請求項１または請求項２に記載の撮像装置。
【請求項４】
前記エリア設定手段は、前記被写体の領域の周囲を少なくとも含みかつ前記被写体の領域の外周に外接する外接エリアを包含エリアに設定し、前記被写体の領域のみからなり前記被写体の領域の外周に内接する内接エリアを内包エリアに設定する
ことを特徴とする請求項１〜請求項３の何れか１項に記載の撮像装置。
【請求項５】
前記エリア設定手段は、前記包含エリア及び内包エリアを四角形とし、前記合焦する被写体の中心から四角形を徐々に拡大して前記被写体の領域の外周に内接した内包エリアを設定すると共に、前記被写体の領域の周囲から四角形を徐々に縮小して前記被写体の領域の外周に外接した包含エリアを設定する
ことを特徴とする請求項４に記載の撮像装置。
【請求項６】
前記エリア設定手段は、前記四角形を徐々に拡大して前記内包エリアを設定する場合、前記被写体の領域の外周に内接した内包エリアから予め定めた拡大設定量だけ拡大した拡大エリアを内包エリアとして設定する
ことを特徴とする請求項５に記載の撮像装置。
【請求項７】
前記撮像レンズは、絞りを具備し、
前記エリア設定手段は、前記撮像レンズの焦点距離及び絞り値に基づいて焦点深度を求め、求めた焦点深度に基づいて前記拡大設定量を設定する
ことを特徴とする請求項６に記載の撮像装置。
【請求項８】
前記エリア設定手段は、前記包含エリア及び内包エリアを四角形とし、前記四角形を徐々に拡大して前記内包エリアを設定する場合、前記四角形に含まれる画素数による面積及び前記四角形の縦横比について、予め定めた閾値を超える面積及び縦横比の拡大エリアを内包エリアとして設定する
ことを特徴とする請求項５〜請求項７の何れか１項に記載の撮像装置。
【請求項９】
前記エリア設定手段は、前記被写体の領域の重心を求め、求めた重心から四角形を徐々に拡大して内包エリアを設定する
ことを特徴とする請求項５〜請求項８の何れか１項に記載の撮像装置。
【請求項１０】
被写体の画像を撮像する受光面に設けられた位相差検出エリア内に、瞳分割した第１の位相差検出画素及び第２の位相差検出画素で構成されるペア画素が配列形成された撮像素子と、前記撮像素子の前段に置かれ、前記被写体の合焦した光学像を前記受光面に結像させる合焦位置に制御される撮像レンズと、を備えた撮像装置において実行させる撮像プログラムであって、
合焦する被写体を特定し、該合焦する被写体の領域及び背景エリアを含む包含エリアと、該合焦する被写体の領域の内部の一部からなり、背景エリアを含まない内包エリアとの各々を設定するエリア設定ステップと、
前記設定した包含エリア及び内包エリアの各々の空間周波数分布を演算し、演算した空間周波数分布の各々に基づいて前記被写体の領域に対応する周波数域の空間周波数を除去するフィルタを作成するフィルタ作成ステップと、
前記作成したフィルタを用いて前記被写体の領域に対応する周波数域の空間周波数に該当する前記第１の位相差検出画素の第１検出情報と前記第２の位相差検出画素の第２検出情報とを生成する生成ステップと、
前記生成した第１検出情報と第２検出情報との相関関係を示す被写体の相関演算曲線を求め、該相関演算曲線から前記撮像レンズを前記合焦位置に制御する位相差を求める位相差演算ステップと、
前記求めた位相差に基づき前記撮像レンズを前記合焦位置に制御する位置制御ステップと、
の各ステップをコンピュータによって実行させる撮像プログラム。
【発明の詳細な説明】
【技術分野】
【０００１】
本発明は、撮像装置及び撮像プログラムに係り、特に、被写体までの距離を検出し撮像レンズの焦点位置制御を行う撮像装置及び撮像プログラムに関する。
【背景技術】
【０００２】
主要な被写体までの距離を検出する合焦位置検出には、コントラスト方式や位相差オートフォーカス（以下、位相差ＡＦという）方式が知られている。位相差ＡＦ方式は、コントラスト方式に比べて合焦位置の検出を高速，高精度に行うことができるため、一眼レフカメラで多く採用されている。
【０００３】
特許文献１には、撮影画像の輝度分布から、撮影シーンを判定し、判定したシーンに応じたフィルタ処理を行った後、位相差ＡＦの評価値の演算を行う技術が開示されている。
【０００４】
また、特許文献２には、撮影画像の周波数分布に応じて、位相差ＡＦ方式とコントラスト方式とを切り替える技術が開示されている。
【０００５】
さらに、特許文献３には、顔特徴量抽出処理によって撮影画像から被写体を検出し、合焦動作前に予め検出された被写体の種類等に応じてＡＦ評価値演算阻害領域を決定し、マルチエリアＡＦの各ＡＦエリアからその領域を除外した後の残存領域を用いてＡＦ評価値の演算を行う技術が開示されている。
【先行技術文献】
【特許文献】
【０００６】
【特許文献１】特開２００３―２１５４３４号公報
【特許文献２】特開２００９―６３９２１号公報
【特許文献３】特開２０１０―１６０２９７号公報
【発明の概要】
【発明が解決しようとする課題】
【０００７】
しかしながら、被写体に対する合焦位置を検出するためにはある程度の領域（画角）が必要であり、被写体のみならず、その背景を含む領域を、検出対象の領域とする場合がある。例えば、顔などの主要被写体に合焦を希望する場合、顔の背景を含む一定の領域を合焦の検出対象としたときには、その背景に対して合焦される場合がある。
【０００８】
本発明は上記事実を考慮してなされたものであり、位相差ＡＦにより被写体に合焦するときに、被写体に対して忠実に合焦することができる撮像装置及び撮像プログラムを提供することを目的とする。
【課題を解決するための手段】
【０００９】
上記目的を達成するため、請求項１記載の発明の撮像装置は、被写体の画像を撮像する受光面に設けられた位相差検出エリア内に、瞳分割した第１の位相差検出画素及び第２の位相差検出画素で構成されるペア画素が配列形成された撮像素子と、前記撮像素子の前段に置かれ、前記被写体の合焦した光学像を前記受光面に結像させる合焦位置に制御される撮像レンズと、合焦する被写体を特定し、該合焦する被写体の領域及び背景エリアを含む包含エリアと、該合焦する被写体の領域の内部の一部からなり、背景エリアを含まない内包エリアとの各々を設定するエリア設定手段と、前記設定した包含エリア及び内包エリアの各々の空間周波数分布を演算し、演算した空間周波数分布の各々に基づいて前記被写体の領域に対応する周波数域の空間周波数を除去するフィルタを作成するフィルタ作成手段と、前記作成したフィルタを用いて前記被写体の領域に対応する周波数域の空間周波数に該当する前記第１の位相差検出画素の第１検出情報と前記第２の位相差検出画素の第２検出情報とを生成する生成手段と、前記生成した第１検出情報と第２検出情報との相関関係を示す被写体の相関演算曲線を求め、該相関演算曲線から前記撮像レンズを前記合焦位置に制御する位相差を求める位相差演算手段と、前記求めた位相差に基づき前記撮像レンズを前記合焦位置に制御する位置制御手段と、を備えている。
【００１０】
本発明によれば、合焦する被写体を全て含む包含エリアと、被写体の一部領域からなる内包エリアとを設定し、これらの包含エリア及び内包エリアの空間周波数分布に基づいて、被写体の空間周波数を通過させるフィルタを作成する。このフィルタを用いて被写体の領域に対応する第１検出情報と第２検出情報を生成して、これらの相関関係から撮像レンズを合焦位置に制御する位相差を求めて撮像レンズを合焦する。これにより、被写体のみによる空間周波数（帯域）を得るフィルタ作成が可能となり、この被写体のみによる空間周波数帯域を通過させるフィルタを用いて位相差検出画素の検出情報をフィルタ演算することで、背景を含む包含エリアであっても精度良く被写体に合焦させることができる。
【００１１】
なお、前記撮像素子は、水平方向及び垂直方向に配列された複数の光電変換素子を含むことができる。また、撮像素子は、半導体基板に二次元アレイ状に配列形成された複数の画素を備えかつ、前記複数画素のうち一部の画素が位相差検出画素として形成された固体撮像素子を採用することができる。
【００１２】
請求項２の発明では、前記フィルタ作成手段は、前記包含エリア及び内包エリアの空間周波数分布のうち類似した空間周波数分布の周波数域に対応する前記包含エリアの周波数域を、前記被写体の領域としてフィルタを作成する。作成したフィルタ、例えば、空間周波数分布のうち低周波帯域を通過させるフィルタにより、被写体のみの空間周波数による演算が可能となり、合焦精度が向上する。
【００１３】
請求項３の発明では、前記フィルタ作成手段は、前記包含エリア及び内包エリアの空間周波数分布に基づいて、前記包含エリアの空間周波数分布について前記被写体の領域と背景領域との各々に対応する周波数域に分離し、分離した前記被写体の領域に対応する周波数域を、前記被写体の領域としてフィルタを作成する。例えば、空間周波数の低周波帯域側で変曲点を分離ポイントとすることで、被写体と背景との空間周波数に分離することができ、合焦精度が向上する。
【００１４】
請求項４の発明では、前記エリア設定手段は、前記被写体の領域の周囲を少なくとも含みかつ前記被写体の領域の外周に外接する外接エリアを包含エリアに設定し、前記被写体の領域のみからなり前記被写体の領域の外周に内接する内接エリアを内包エリアに設定する。このように、内接エリアと外接エリアを設定することで、合焦演算するための画素数を増加でき、合焦精度が向上する。
【００１５】
請求項５の発明では、前記エリア設定手段は、前記包含エリア及び内包エリアを四角形とし、前記合焦する被写体の中心から四角形を徐々に拡大して前記被写体の領域の外周に内接した内包エリアを設定すると共に、前記被写体の領域の周囲から四角形を徐々に縮小して前記被写体の領域の外周に外接した包含エリアを設定する。このように、四角形例えば、長方形によってエリア設定が容易となる。
【００１６】
請求項６の発明では、前記エリア設定手段は、前記四角形を徐々に拡大して前記内包エリアを設定する場合、前記被写体の領域の外周に内接した内包エリアから予め定めた拡大設定量だけ拡大した拡大エリアを内包エリアとして設定する。例えば、エリアが極小の場合、そのエリアを拡大できるので、合焦演算するための画素数を増加でき、合焦精度が向上する。
【００１７】
請求項７の発明では、前記撮像レンズは、絞りを具備し、前記エリア設定手段は、前記撮像レンズの焦点距離及び絞り値に基づいて焦点深度を求め、求めた焦点深度に基づいて前記拡大設定量を設定する。焦点深度等の撮影条件に応じてエリアを拡大でき、合焦精度が向上する。
【００１８】
請求項８の発明では、前記エリア設定手段は、前記包含エリア及び内包エリアを四角形とし、前記四角形を徐々に拡大して前記内包エリアを設定する場合、前記四角形に含まれる画素数による面積及び前記四角形の縦横比について、予め定めた閾値を超える面積及び縦横比の拡大エリアを内包エリアとして設定する。従って、画素面積や縦横比（アスペクト比）でエリアを正弦できるので、合焦処理に必要な画素数を確保できる。
【００１９】
請求項９の発明では、前記エリア設定手段は、前記被写体の領域の重心を求め、求めた重心から四角形を徐々に拡大して内包エリアを設定する。これにより、被写体に忠実なエリア設定のための起点を設定できる。
【００２０】
請求項１０の発明は、被写体の画像を撮像する受光面に設けられた位相差検出エリア内に、瞳分割した第１の位相差検出画素及び第２の位相差検出画素で構成されるペア画素が配列形成された撮像素子と、前記撮像素子の前段に置かれ、前記被写体の合焦した光学像を前記受光面に結像させる合焦位置に制御される撮像レンズと、を備えた撮像装置において実行させる撮像プログラムであって、合焦する被写体を特定し、該合焦する被写体の領域及び背景エリアを含む包含エリアと、該合焦する被写体の領域の内部の一部からなり、背景エリアを含まない内包エリアとの各々を設定するエリア設定ステップと、前記設定した包含エリア及び内包エリアの各々の空間周波数分布を演算し、演算した空間周波数分布の各々に基づいて前記被写体の領域に対応する周波数域の空間周波数を除去するフィルタを作成するフィルタ作成ステップと、前記作成したフィルタを用いて前記被写体の領域に対応する周波数域の空間周波数に該当する前記第１の位相差検出画素の第１検出情報と前記第２の位相差検出画素の第２検出情報とを生成する生成ステップと、前記生成した第１検出情報と第２検出情報との相関関係を示す被写体の相関演算曲線を求め、該相関演算曲線から前記撮像レンズを前記合焦位置に制御する位相差を求める位相差演算ステップと、前記求めた位相差に基づき前記撮像レンズを前記合焦位置に制御する位置制御ステップと、の各ステップをコンピュータによって実行させる。
【発明の効果】
【００２１】
本発明によれば、被写体のみによる空間周波数を得るフィルタを用いて位相差検出画素の検出情報をフィルタ演算することで、背景を含む包含エリアであっても精度良く被写体に合焦させることができる、という効果を有する。
【図面の簡単な説明】
【００２２】
【図１】撮像装置の概略ブロック図である。
【図２】位相差検出エリア４０内の一部分の表面拡大模式図である。
【図３】位相差検出画素１ｘ，１ｙの模式図である。
【図４】第１実施形態に係る撮像処理の流れを示すフローチャートである。
【図５】合焦処理の流れを示すフローチャートである。
【図６】エリアの模式図であり、（Ａ）は被写体内エリア、（Ｂ）は被写体包含エリアを示す。
【図７】被写体エリアの空間周波数分布を示す線図である。
【図８】第２実施形態に係る外接エリア設定処理の流れを示すフローチャートである。
【図９】第２実施形態に係る内接エリア設定処理の流れを示すフローチャートである。
【図１０】内接エリアの設定処理の流れについての説明図である。
【図１１】外接エリアの設定処理の流れについての説明図である。
【図１２】第３実施形態に係る内接エリア設定処理の流れを示すフローチャートである。
【図１３】内接エリアの設定処理の流れについての説明図である。
【図１４】撮影条件で定まる焦点深度に対する拡大設定値の関係を示す線図である。
【図１５】第４実施形態に係る形状判定処理の流れを示すフローチャートである。
【図１６】被写体エリアの形状に関する閾値を設定処理の説明図である。
【図１７】第５実施形態に係る重心設定処理の流れを示すフローチャートである。
【図１８】重心設定処理の流れについての説明図である。
【図１９】第６実施形態に係る被写体内エリアの設定処理の流れを示すフローチャートである。
【発明を実施するための形態】
【００２３】
以下、図面を参照して本発明の実施形態について説明する。
【００２４】
（第１実施形態）
図１には、本発明の一実施形態に係る撮像装置１０の概略ブロック図を示した。撮像装置１０は、被写体の静止画像或いは動画像を撮影し撮像装置１０内で撮像画像信号をデジタル処理する機能を有し、望遠レンズ及びフォーカスレンズを備える撮像レンズ２０と、撮像レンズ２０の背部に置かれその結像面に配置された固体撮像素子２１と、固体撮像素子２１の各画素から出力されるアナログの画像データを自動利得調整（ＡＧＣ）や相関二重サンプリング処理等のアナログ処理するアナログ信号処理部２２と、アナログ信号処理部２２から出力されるアナログ画像データをデジタル画像データに変換するアナログデジタル変換部（Ａ／Ｄ）２３と、後述のシステム制御部（ＣＰＵ）２９からの指示によってＡ／Ｄ２３，アナログ信号処理部２２，固体撮像素子２１，撮像レンズ２０の駆動制御を行う駆動制御部２４と、ＣＰＵ２９からの指示によって発光するフラッシュ２５とを含んで構成されている。
【００２５】
また、撮像装置１０は、Ａ／Ｄ２３から出力されるデジタル画像データを取り込み補間処理やホワイトバランス補正，ＲＧＢ／ＹＣ変換処理等を行うデジタル信号処理部２６と、画像データをＪＰＥＧ形式などの画像データに圧縮したり逆に伸長したりする圧縮／伸長処理部２７と、メニューなどを表示したりスルー画像や撮像画像を表示する表示部２８と、撮像装置全体を統括制御するシステム制御部（ＣＰＵ）２９と、フレームメモリ等の内部メモリ３０と、ＪＰＥＧ画像データ等を格納する記録メディア３２との間のインタフェース処理を行うメディアインタフェース（Ｉ／Ｆ）部３１と、これらを相互に接続するバス４０とを備えており、また、システム制御部２９には、ユーザからの指示入力を行う操作部３３が接続されている。
【００２６】
システム制御部２９は、固体撮像素子２１から動画状態で出力されデジタル信号処理部２６で処理された撮像画像データ（スルー画像）を配下のデジタル信号処理部２６等を用いて後述するように解析して評価曲線（相関演算曲線）を求め、主要被写体までの距離を検出する。そして、システム制御部２９は、駆動部２４を介し、撮像レンズ２０のうちのフォーカスレンズの位置制御を行い、被写体に合焦した光学像が固体撮像素子２１の受光面に結像するようにする。
【００２７】
固体撮像素子２１は、本実施形態ではＣＭＯＳ(Complementary Metal Oxide Semiconductor)型であり、固体撮像素子２１の出力信号をアナログ信号処理部（ＡＦＥ：アナログフロントエンド）２２で処理するが、このＡＦＥ部分（相関二重サンプリング処理やクランプを行う回路、利得制御を行う信号増幅回路等）は固体撮像素子チップ上に周辺回路として設けられるのが普通である。また、固体撮像素子２１のチップ上には、その他にも、水平走査回路や垂直走査回路、雑音低減回路，同期信号発生回路等が周辺回路として受光部周りに形成され、Ａ／Ｄ変換部２３も形成される場合がある。なお、固体撮像素子２１は、ＣＣＤ(Charge Coupled Device)型でも、以下の実施形態に適用可能である。
【００２８】
固体撮像素子２１の受光面には、図示しない多数の画素（受光素子：フォトダイオード）が二次元アレイ状に配列形成されている。本実施形態では、複数の画素が正方格子状に配列形成されている。なお、画素配列は正方格子配列に限るものではなく、奇数行の画素行に対して偶数行の画素行が１／２画素ピッチづつずらして配列された、所謂、ハニカム画素配列でも良い。
【００２９】
受光面の任意の一部領域位置（例えば中央位置）に、矩形の位相差検出エリア４０が設けられている。この例では、位相差検出エリア４０は受光面に対して１箇所だけ設けているが、撮影画面内のどこでも合焦できるよう複数箇所に設けても良い。受光面の全領域を位相差検出エリアとすることでも良い。この位相差検出エリア４０により、位相差検出方向（この例では左右方向つまりｘ方向を位相差検出方向としている。）で被写体までの合焦位置を検出する。
【００３０】
図２は、位相差検出エリア４０内の一部分の表面拡大模式図である。固体撮像素子２１の受光面には、多数の画素が正方格子配列されており、位相差検出エリア４０内でも同様である。
【００３１】
図示する例では、各画素をＲ（赤），Ｇ（緑），Ｂ（青）で示している。Ｒ，Ｇ，Ｂは各画素上に積層したカラーフィルタの色を表し、カラーフィルタ配列は、この例ではベイヤ配列となっているが、ベイヤ配列に限るものではなく、ストライプ等の他のカラーフィルタ配列でも良い。
【００３２】
位相差検出エリア４０内の画素配列，カラーフィルタ配列は、位相差検出エリア４０外の受光面の画素配列，カラーフィルタ配列と同じであるが、位相差検出エリア４０内では、ペアを構成する斜めに隣接する同色画素を、位相差検出画素１ｘ，１ｙとしている。位相差検出用のペア画素は、本実施形態では、エリア４０内の離散的，周期的な位置、図示する例では市松位置に設けられている。
【００３３】
なお、図示する例では、カラーフィルタ配列がベイヤ配列のため同色画素が斜めに隣接するのであって、横ストライプ配列の場合には同色画素は水平方向に並ぶため、ペアを構成する２画素は横に隣接することになる。あるいは、横ストライプ配列で同じ色フィルタ行内にペアを構成する２画素を設けるのではなく、縦方向に最近接する同色のフィルタ行の夫々にペアを構成する各画素を離して設けることでも良い。縦ストライプ配列の場合も同様である。
【００３４】
本実施形態では、位相差検出画素１ｘ，１ｙを、Ｒ，Ｇ，Ｂのうち最も多いＧフィルタ搭載画素に設けており、水平方向（ｘ方向）に８画素置き、垂直方向（ｙ方向）に８画素置き、かつ全体的に市松位置となるように配置されている。従って、位相差検出方向（左右方向）で見たとき、位相差検出画素１ｘは４画素置きに配置されることになる。
【００３５】
図３は、図２の位相差検出画素１ｘ，１ｙだけを抜き出して模式的に表示した図である。ペア画素を構成する位相差検出画素１ｘ，１ｙは、例えば、その遮光膜開口２ｘ，２ｙが他の画素（位相差検出画素以外の画素）より小さく形成され、かつ、画素１ｘの遮光膜開口２ｘは左方向に偏心して設けられ、画素１ｙの遮光膜開口２ｙは右方向（位相差検出方向）に偏心して設けられている。
【００３６】
図３の下段に示す曲線Ｘは、横一行に並ぶ位相差検出画素１ｘの検出信号量をプロットしたグラフであり、曲線Ｙは、これら画素１ｘとペアを構成する位相差検出画素１ｙの検出信号量をプロットしたグラフである。
【００３７】
ペア画素１ｘ，１ｙは隣接画素であり極めて近接しているため、同一被写体からの光を受光していると考えられる。このため、曲線Ｘと曲線Ｙとは同一形状になると考えられ、その左右方向（位相差検出方向）のずれが、瞳分割したペア画素の一方の画素１ｘで見た画像と、他方の画素１ｙで見た画像との位相差量となる。
【００３８】
この曲線Ｘと曲線Ｙの相関演算を行うことで、位相差量（横ズレ量）を求めることができ、この位相差量から被写体までの距離を算出することが可能となる。曲線Ｘと曲線Ｙの相関量の評価値を求める方法は、公知の方法（例えば、特開２０１０―８４４３号公報
特開２０１０―９１９９１号公報参照）を用いることができる。例えば、曲線Ｘを構成する各点Ｘ（ｉ）と、曲線Ｙを構成する各点Ｙ（ｉ＋ｊ）の差分の絶対値の積算値を評価値とし、最大評価値を与えるｊ値を、位相差量（横ズレ量）とする。
【００３９】
ところで、１画素１画素の受光面積が小さい場合、個々の信号量は小さくなってノイズの割合が増えるため、相関演算を行っても精度良く位相差量を検出することが困難となる。そこで、位相差検出エリア４０内の画素数を増加させたり、位相差検出エリア４０それ自体を，拡大したりすることで、ノイズの影響を低減して合焦位置の検出精度（ＡＦ精度）を向上させることが可能となる。
【００４０】
ところが、位相差検出エリア４０内の画素数を増加させたり、位相差検出エリア４０それ自体を拡大したりすると、位相差検出画素の配置領域が上下方向（垂直方向）や左右方向（水平方向）に延びることになる。これによって、本来合焦すべき被写体に対する位相差検出をする領域（実際の位相差検出エリア）には、本来合焦すべき被写体パターンに加え、背景などの周囲パターンを含んだものとなり、位相差を求める評価値が下がってしまう場合がある。例えば、背景などの周囲パターンに合焦される、所謂後ピン状態が生じる場合がある。
【００４１】
そこで、本実施形態では、合焦すべき被写体に対する位相差検出をする領域について、被写体の一部エリア（内包エリア）と、被写体の周囲を含む全部エリア（包含エリア）とを定めて、各々のエリアについて空間周波数分布を求めて、合焦すべき被写体に関係性が希薄な検出信号、例えば背景を除去した検出信号によって合焦させることで、合焦位置の検出精度（ＡＦ精度）を向上させる。
【００４２】
すなわち、被写体と、その被写体の背景とでは、各々の空間周波数分布が相違することが一般的である。このため、内包エリアでは被写体の空間周波数が顕著に表れた空間周波数分布となり、包含エリアでは、被写体とその背景等の被写体に関係性が希薄な物品との双方についての空間周波数が含まれる空間周波数分布となる。この包含エリアの空間周波数から背景等の被写体に関係性が希薄な物品の空間周波数を除去すれば、実際の位相差検出エリアとして被写体に忠実な空間周波数分布を採用できる。
【００４３】
次に、本実施形態に係る撮像装置１０の作用を説明する。まず、撮影時における撮像装置１０の全体的な動作について簡単に説明する。
【００４４】
まず、固体撮像素子２１により撮像レンズ２０を介した撮像を行い、被写体像を示すＲ（赤）、Ｇ（緑）、Ｂ（青）の信号をアナログ信号処理部２２に順次出力する。アナログ信号処理部２２は、固体撮像素子２１から入力された信号に対して相関二重サンプリング処理等のアナログ信号処理を施した後にＡ／Ｄ変換部２３に順次出力する。Ａ／Ｄ変換部２３は、アナログ信号処理部２２から入力されたＲ，Ｇ，Ｂの信号を例えば各々１２ビットのＲ，Ｇ，Ｂの信号（デジタル画像データ）に変換してデジタル信号処理部２６に順次出力する。デジタル信号処理部２６は、内蔵しているラインバッファにＡ／Ｄ変換部２３から順次出力されるデジタル画像データを蓄積して一旦内部メモリ３０の所定領域に格納する。
【００４５】
内部メモリ３０の所定領域に格納されたデジタル画像データは、システム制御部２９による制御によりデジタル信号処理部２６によって読み出され、これらに所定の物理量に応じたデジタルゲインをかけることでホワイトバランス調整を行なうと共に、ガンマ処理及びシャープネス処理を行なって例えば８ビットのデジタル画像データを生成し、更にＹＣ信号処理を施して輝度信号Ｙとクロマ信号Ｃｒ，Ｃｂ（以下、「ＹＣ信号」という。）を生成し、ＹＣ信号を内部メモリ３０の上記所定領域とは異なる領域に格納する。
【００４６】
なお、表示部２８は、固体撮像素子２１による連続的な撮像によって得られた動画像（スルー画像）を表示してファインダとして使用可能に構成されている。この場合には、生成したＹＣ信号が順次表示部２８に出力される。これによって表示部２８にスルー画像が表示されることになる。
【００４７】
次に、図４に示す撮像処理ルーチンを参照してシステム制御部２９の処理概要を説明する。
【００４８】
撮影者は、表示部２８に表示されるスルー画像で被写体を確認しつつ構図を決定する。このとき、システム制御部２９は、操作部３３のレリーズボタンが撮影者によって半押し状態Ｓ１とされた場合に、スルー画像を確認できる程度に、ＡＥ（Automatic Exposure、自動露出）機能による露出状態（シャッタースピード、絞りの状態）の設定、及びＡＦ（Auto Focus、自動合焦）機能による合焦制御を行わせ、そのスルー画像で被写体を認識する（ステップ１００）。その後に、レリーズボタンが全押し状態Ｓ２とされた場合（ステップ１０２）、ＡＥ機能が働き最終的な露出状態が設定された後（ステップ１０４）、詳細を後述するＡＦ機能が働いて合焦制御され（ステップ１０６）、引き続き撮像レンズ２０による固体撮像素子２１への露光がなされ（ステップ１０８）、固体撮像素子２１からアナログ信号が読み出される（ステップ１１０）。次に、アナログ信号をデジタル画像データに変換させ（ステップ１１２）、ホワイトバランス調整やガンマ処理及びシャープネス処理等の画像処理を行わせ（ステップ１１４）、圧縮伸長処理部２７によって所定の圧縮形式（例えばＪＰＥＧ形式）で圧縮させた後に（ステップ１１６）、メディアインタフェース部３１を介して記録メディア３２に記録させる（ステップ１１８）。
【００４９】
次に、図４のステップ１０６における合焦処理について、図５に示すフローチャートを参照して詳細に説明する。
【００５０】
ＡＦ処理が開始されると、ステップ１２０においてオブジェクト認識処理が実行される。このオブジェクト認識処理は、上記ステップ１００において実行された、スルー画像で被写体を認識する処理の結果、撮影対象として判別された被写体を特定する処理である。このオブジェクトの一例には、人物の顔があり、ここでの処理は顔検出処理を実行させることができる。次のステップ１２２では、オブジェクト、例えば顔が検出されたか否かを判定する。なお、オブジェクト認識処理は、公知の方法（例えば、特開２００６―２７０１３７号公報、特開２００７―１４２５２５号公報等参照）を用いることができる。
【００５１】
オブジェクトが検出されなかった場合には、ステップ１３８へ進み、従来の位相差ＡＦと同様に、位相差検出エリア４０について、位相差検出画素１ｘから求めた曲線Ｘと位相差検出画素１ｙから求めた曲線Ｙとの相関演算を行う。そして、相関演算の結果として得られたエリア評価曲線に基づき、デフォーカス量を算出し（ステップ１４０）、次のステップ１４２においてＡＦ判定する。このＡＦ判定は、相関演算の結果が許容できる範囲内であるか否かを判定することや算出されたデフォーカス量が許容できる範囲内であるか否かを判定すること等により判断される。ステップ１４２で肯定判断されると、ステップ１４４において撮像レンズの合焦制御を行い、この処理を終了する。ステップ１４２で否定判断されると、ステップ１４６において予め定めたエラー処理が実行される。
【００５２】
一方、オブジェクトが検出された場合（ステップ１２２で肯定）、ステップ１２４へ進み、ＡＦ処理するための被写体エリアの数量（本実施形態では大小２個）を決定する。この被写体エリアの数量は、２個に限定されるものではなく、大中小の３個、またはそれ以上でもよい。
【００５３】
次のステップ１２６では、ステップ１２４で決定した被写体エリアのうち一方の被写体エリアとして、ステップ１２０で認識したオブジェクトの被写体を少なくとも全て含む被写体包含エリア（大エリア）を設定し、次のステップ１２８で被写体包含エリアの空間周波数分布を算出する。そして、次のステップ１３０では、他方の被写体エリアとして、オブジェクトである被写体内の領域となる被写体内エリア（小エリア）を設定し、次のステップ１３２で被写体内エリアの空間周波数分布を算出する。
【００５４】
図６には、ステップ１２６および１３０で設定する大小エリアを模式的に示し、（Ａ）は被写体内エリア、（Ｂ）は被写体包含エリアを示す。図６では、被写体エリアに四角形状を採用した場合を示している。被写体エリアを四角形状に限定するものではない。図６（Ａ）に示すように、被写体内エリア６０は、被写体である顔５０の内部の閉領域が設定され、被写体のみのエリア６４内部になっている。図６（Ｂ）に示すように、被写体包含エリア６２は、被写体である顔５０の全領域が包含された閉領域が設定され、被写体のみのエリア６４と背景エリア６６から構成されることになる。被写体エリアを四角形状とした場合、面積確保の観点から、被写体内エリア６０は顔５０の輪郭に内接する内接エリアを設定することが好ましい。また、被写体包含エリア６２は顔５０の輪郭に外接する外接エリアを設定することが好ましい。
【００５５】
図７には、被写体エリアの空間周波数分布を示した。曲線７０は、被写体内エリア６０の空間周波数分布を示し、曲線７２は、被写体包含エリア６２の空間周波数分布を示している。曲線７０は、低周波数側にピーク７４を有する特性であり、曲線７２は、低周波数側及び高周波数側の双方にピーク７６，７８を有する特性である。一方、被写体包含エリア６２は、被写体のみのエリア６４と背景エリア６６から構成され、両方の空間周波数分布が重畳されたものである。一方、被写体内エリア６０は、被写体の空間周波数分布である。このことから、低周波数側のピーク７４とピーク７６を含む周波数域は被写体に対応するもので、ピーク７８を含む周波数域は背景エリア６６によるものと推定できる。従って、曲線７２についてピーク７８を含む一定の周波数域を除去すれば、被写体のみによる空間周波数（帯域）を得ることができる。これによって、被写体のみによる空間周波数帯域を通過させるフィルタを用いて位相差検出信号をフィルタ演算すれば、背景を含むエリアを被写体エリアとして定めても精度良く被写体に合焦させることができる。
【００５６】
そこで、ステップ１３４では、ステップ１２８および１３２で算出した空間周波数からフィルタを作成する。ここでは、曲線７２についてピーク７８を含む一定の周波数域を定めるために、曲線７２の変曲点すなわちピーク７６からピーク７８に至るまでの最低度数分布となる点８０を求め、その空間周波数ｆｘを境界空間周波数に設定する。そして、ピーク７６の空間周波数を含む空間周波数ｆｘまでの周波数域Ｆをバンドパスするフィルタを作成する。
【００５７】
次のステップ１３６では、ステップ１３４で作成したフィルタを用いて、位相差検出信号を信号処理する。この信号処理された信号は、背景エリアが除去されたものとなる。そして、上述のように、相関演算を行い、得られたエリア評価曲線に基づきデフォーカス量を算出して、撮像レンズの合焦制御を行うことで（ステップ１３８〜１４４）、背景を含むエリアを被写体エリアとして定めても精度良く被写体に合焦させることができる。
【００５８】
（第２実施形態）
次に、本発明の第２実施形態について説明する。なお、上記実施形態と同一部分には同一符号を付し、その詳細な説明は省略する。
【００５９】
本実施形態は、被写体エリアの設定の一例を示すものであり、その他は第１実施形態と同様である。
【００６０】
本実施形態では、図５のステップ１２６の処理について、図８に示す外接エリア設定処理が実行される。また、図５のステップ１３０の処理では、図９に示す内接エリア設定処理が実行される。以下、図８及び図９のフローチャートを参照して詳細に説明する。
【００６１】
被写体包含エリアの設定処理が実行されると（図５のステップ１２６）、図８のステップ１５０へ進み、前記認識したオブジェクトの被写体５２の境界線（輪郭）５４を求める。次に、境界線（輪郭）５４について、横座標の最大値Ｘｍａｘと最小値Ｘｍｉｎを求め（ステップ１５２）、縦座標の最大値Ｙｍａｘと最小値Ｙｍｉｎを求める（ステップ１５４）。これらの座標から次のステップ１５６において被写体包含エリア（大エリア）として外接エリア６３を設定する。外接エリア６３の設定は、まず、対角座標点６３Ａ（Ｘｍｉｎ，Ｙｍｉｎ）と対角座標点６３Ｂ（Ｘｍａｘ，Ｙｍａｘ）を求める。この対角座標点６３Ａ，６３Ｂの線分対角線とする四角形を外接エリア６３に設定する（図１１参照）。
【００６２】
また、被写体内エリアの設定処理が実行されると（図５のステップ１３０）、図９のステップ１５８へ進み、前記認識したオブジェクトの被写体５２の中心点６１Ｐを求める。この中心点６１Ｐは、オブジェクト認識時に求めた中心でもよく、ステップ１５６で求めた外接エリア６３の対角線の交点を求めることでも良い。次のステップ１６０では、上記ステップ１５０と同様に被写体５２の境界線（輪郭）５４を設定する。次に、中心点６１Ｐを中心とした所定の大きさ（例えば周囲８画素）を拡張エリア６１Ａとして設定する。そして拡張エリアの辺または角が境界線（輪郭）５４に接触するまで拡張エリアを拡張する（図１０参照。拡張エリア６１Ａ、６１Ｂ、６１Ｃの順序）。この辺または角が接触した拡張エリア（四角形）を内接エリア６３に設定する（図１０参照）。
【００６３】
なお、拡張エリアの拡張は、例えば１画素づつ周囲画素を増殖してもよいし、辺または角が接触していない方向の画素を増殖するようにしてもよい。
【００６４】
本実施形態では、被写体が複雑な輪郭であっても外接エリア及び内接エリアの各々について、迅速かつ最大面積となるように設定することができる。
【００６５】
（第３実施形態）
次に、本発明の第３実施形態について説明する。なお、上記実施形態と同一部分には同一符号を付し、その詳細な説明は省略する。
【００６６】
本実施形態は、被写体内エリアの設定について許容範囲を設けたものであり、構成は上記実施形態と同様である。
【００６７】
被写体内エリアを設定した場合、その設定した被写体エリアたとえば内接エリアが極小である場合、その極小の内接エリアは合焦するために十分な画素数でないことがある。そこで本実施形態では、内接エリアが極小である場合に、予め定めた許容範囲まで内接エリアを拡大して設定することを可能にしたものである。この許容範囲の最大値は、設定済みの外接エリアである。すなわち、内接エリア６１から外接エリア６３までの間で、拡大した拡大エリア６５を内接エリア６１として設定することができるようにしたものである（図１３参照）。
【００６８】
本実施形態は、図９のステップ１６８の処理で設定された内接エリアが、極小である場合に、図１２に示す内接エリア設定処理が実行される。以下、図１２のフローチャートを参照して詳細に説明する。
【００６９】
被写体内エリア（内接エリア）の設定が終了すると（図９）、図１２のステップ１７０へ進み、設定された内接エリアが極小か否かを判断し、否定された場合には、内接エリアは合焦するために十分な画素数を確保できるため、そのまま処理を終了する。内接エリアが極小か否かの判断基準は、合焦するために十分な画素数として予め定めた画素数やその画素数による面積を用いることができる。
【００７０】
ステップ１７０で肯定されると、ステップ１７２へ進み、拡大可能な内接エリアの許容範囲（拡大設定値）を設定する。次のステップ１７４では、拡張エリアを拡張、例えば１画素分だけ拡張し、拡大設定値になるまで（ステップ１７６で肯定されるまで）繰り返し実行する。そして、最終的な拡張エリアを（ステップ１７６で肯定）、被写体内エリアとして設定する（ステップ１７８）。
【００７１】
この拡大設定値は、上述のように、許容範囲（拡大設定値）の最大値として、設定済みの外接エリアが可能であるが（図１３参照）、合焦するために必要とされる所定画素数となるエリアになれば十分である。また、外接エリア近傍まで拡張エリアを拡大したのでは、背景を多く含むことになり、合焦精度に支障を来す場合がある。そこで、この拡大設定値は、既に設定済みの外接エリアまでの値（例えば画素数や面積）を設定してもよいが、予め定めた指定値（例えば、合焦するために必要とされる予め定められた画素数）を設定することが好ましい。
【００７２】
ところで、実際の撮影時は、撮影シーンに応じて撮影条件が異なるものである。例えば、マクロ撮影などの近距離撮影時では焦点距離及び絞り値等による撮影条件によって焦点深度（被写界深度）が浅くなる。一方、風景や集合写真のような近距離撮影時の撮影条件では比較的焦点深度が深くなる。このように、撮影条件によって焦点深度が変動するので、一律に拡大設定値を定めて拡張エリアを拡大可能としたのでは、被写体に合焦されず、背景に合焦され（所謂後ピン）、合焦精度が悪化する。
【００７３】
そこで、ステップ１７２では、撮影条件に応じて拡大可能な内接エリアの許容範囲（拡大設定値）を設定することが好ましい。
【００７４】
図１４には、焦点距離及び絞り値による撮影条件で定まる焦点深度（被写界深度）に対する拡大設定値の関係を示した。焦点深度（被写界深度）と拡大設定値は対応関係がある。すなわち、焦点深度が深ければ撮影軸方向の合焦距離が長くなるので、拡張エリアに多少背景を含んだとしても合焦に対する影響が少なくなり、拡大設定値を大きくすることができる。一方、焦点深度が浅ければ撮影軸方向の合焦距離が短くなるので、拡大設定値は小さくする必要がある。そこで、撮影時の焦点深度（被写界深度）を得れば、撮影条件に応じて拡大可能な内接エリアの許容範囲（拡大設定値）を設定することができる。図１４では、一例として、撮像装置１０に具備された、焦点距離に直接影響するズーム位置に応じて拡大可能な内接エリアの許容範囲（拡大設定値）を設定することができる特性曲線ｈを示した。すなわち、テレ側では焦点距離が短くなり、ワイド側では焦点距離が長くなる。この特性曲線ｈに、絞り等の撮影条件をさらに付加して許容範囲（拡大設定値）を設定するようにしてもよい。
【００７５】
また、撮影条件に応じて拡大可能な内接エリアの許容範囲を定めるために、上述の空間周波数分布を利用することができる。図７に示したように、背景を含む被写体エリアの空間周波数分布の曲線７２では、上述の処理によりピーク７８を含む周波数域が背景エリア６６と推定できる。一方、拡張エリアを拡大することは、その背景エリア６６をより多く含むことになる。つまり、空間周波数ｆｘが高周波側へシフトすることになる。そこで、拡張エリアを拡大したことにより空間周波数ｆｘが高周波側へシフトしたときに、背景エリア６６がどの程度影響するのかを、空間周波数ｆｘからピーク７８を含む空間周波数域の変動比率等を求めて、上記焦点距離（撮影条件）との予め定めた関係から許容範囲（拡大設定値）を設定するようにしてもよい。
【００７６】
本実施形態では、極小な被写体エリア（内接エリア）であっても、焦点距離や絞り値等による撮影条件で定めた値（例えば画素数や面積）により、その大きさを拡張できるので、合焦演算の画素数を増加でき、合焦精度を向上させることができる。
【００７７】
なお、上記処理は、ステップ１６８の後に実行するとしたが、閾値を変更するようにしてもよい。すなわち、図９では拡張エリアが被写体の境界線（輪郭）に接触するときを閾値としているが、その閾値判断に、エリアの極小判断をするようにしてもよい。具体的には上述のステップ１６４の接触可否判断後に図１２の処理を実行するようにしてもよい。
【００７８】
（第４実施形態）
次に、本発明の第４実施形態について説明する。なお、上記実施形態と同一部分には同一符号を付し、その詳細な説明は省略する。
【００７９】
本実施形態は、合焦演算精度を維持するために、被写体エリアの形状に閾値を設けて被写体エリアを設定するものである。すなわち、本実施形態は、図９のステップ１６６の処理後に、図１５に示す形状判定処理が実行される。以下、図１５のフローチャートを参照して詳細に説明する。
【００８０】
拡張エリアを拡張すると（図９のステップ１６６）、図１５のステップ１８０へ進み、合焦演算精度を維持するための被写体エリアの形状に関する閾値を設定する。この閾値は、画素数による面積の閾値と、エリアのアスペクト比（縦横比）の閾値である。次のステップ１８２では、上記ステップ１６６で設定された拡張エリアについての面積及びアスペクト比を算出し、設定された閾値以上であるか否かを判断する（ステップ１８４，１８６）。
【００８１】
ステップ１８４または１８６で否定された場合には、合焦演算精度が不充分として、継続処理する。すなわち、ステップ１６６へ戻り拡張エリアを再設定する。ここでは、拡張エリアの面積が閾値未満のとき、拡張エリアを拡張する処理を指示する。また、アスペクト比が閾値未満のとき、拡張エリアのアスペクト比が閾値以上となるよう拡張する処理を指示する。
【００８２】
一方、ステップ１８４及び１８６で肯定された場合には、合焦するために十分な面積（画素数）及びエリア形状を確保できるため、本形状判定処理を終了しステップ１６４へ戻る。なお、この場合、ステップ１６４へ戻ることに限定されない。例えば、合焦するために十分な面積及びエリア形状を確保できる拡張エリアであるため、そのままステップ１６８へ進んでも良い。
【００８３】
これにより、本実施形態では、被写体５２の大きさに拘わらず、合焦するために十分な面積及びエリア形状を確保できる（図１６参照）。
【００８４】
（第５実施形態）
次に、本発明の第５実施形態について説明する。なお、上記実施形態と同一部分には同一符号を付し、その詳細な説明は省略する。
【００８５】
本実施形態は、被写体内エリアの設定時に基礎となる点を求める一例として被写体の重心を求めるものを示すものであり、その他は上記実施形態と同様である。
【００８６】
本実施形態では、図９のステップ１５８の処理に代えて、図１７に示す重心設定処理が実行される。以下、図１７のフローチャートを参照して詳細に説明する。
【００８７】
被写体内エリアの設定処理が実行されると（図５のステップ１３０）、ステップ１５８（図９）の処理に代えて図１７のステップ１９０へ進み、被写体エリアの面積（画素数）を算出する。この処理では、被写体の境界線を用いて、その境界線による閉領域内の画素数を求める。次のステップ１９２では、被写体の水平方向の一端から画素を敷き詰めて、ステップ１９０で求めた画素数の１／２の画素数になる画素位置を通過する垂直方向の直線を縦分割線５２Ｖとする（図１８参照）。次のステップ１９４では、被写体の垂直方向の一端から画素を敷き詰めて、ステップ１９０で求めた画素数の１／２の画素数になる画素位置を通過する水平方向の直線を横分割線５２Ｈとする（図１８参照）。そして、次のステップ１９６において、上記求めた縦分割線５２Ｖと横分割線５２Ｈとの交点５２Ｇを重心として、上述の中心点に代えて設定する（図１８参照）。
【００８８】
本実施形態では、被写体の重心を求めているので、被写体が複雑な輪郭であっても被写体内エリアの基点となる点がずれて、内接エリアの設定が偏ることを抑制できる。
【００８９】
（第６実施形態）
次に、本発明の第６実施形態について説明する。なお、上記実施形態と同一部分には同一符号を付し、その詳細な説明は省略する。
【００９０】
本実施形態は、第２実施形態と第５実施形態とを組み合わせたものである。本実施形態では、図９のステップ１５８の処理に代えて、図１９に示す処理が実行される。以下、図１９のフローチャートを参照して詳細に説明する。
【００９１】
まず、被写体内エリアの設定処理が実行されると（図５のステップ１３０）、ステップ１５８（図９）の処理に代えて図１９のステップ２００へ進み、図９のステップ１５８と同様に、被写体の中心を算出する。次のステップ２０２では、被写体の重心を算出する（図１７）。次のステップ２０４では、被写体中心による内接エリアを算出し、ステップ２０６において被写体重心による内接エリアを算出する。次のステップ２０８では、上記求めた被写体重心による内接エリアの面積が被写体中心による内接エリアの面積より大きいか否かを判断する。ステップ２０８で肯定された場合、被写体重心による内接エリアを採用し、否定された場合は被写体中心による内接エリアを採用する。
【００９２】
本実施形態では、被写体の重心または中心で定まる内接エリアについて面積が大きいエリアを採用するので、画素数増加によって合焦精度を向上させることができる。
【００９３】
以上説明したように、本実施形態によれば、合焦時に、被写体の一部からなるエリアと全てを含んで背景をも含むエリアの空間周波数分布を各々求めて、被写体のみによる空間周波数帯域を通過させるフィルタを用いて位相差検出信号をフィルタ演算することで、背景を含むエリアを被写体エリアとして定めても精度良く被写体に合焦させることができる。
【００９４】
なお、上記各実施形態では、位相差検出画素を構成する瞳分割したペア画素として、小さくした遮光膜開口を互いに反対方向にずらした例を用いて説明したが、瞳分割して位相差検出画素を構成する方法はこれに限るものではなく、例えばペア画素に一つのマイクロレンズを搭載して瞳分割することでも良い。
【００９５】
なお、上記各実施形態では、位相差を検出するペア画素を位相差検出エリア内の離散的，周期的な位置に設けた例について述べたが、必ずしも周期的，離散的位置に設ける必要はなく、ランダムな位置であっても良く、あるいは全画素を位相差検出画素とすることでも良い。
【００９６】
また、上記各実施形態では、ＲＧＢの３原色のカラーフィルタのカラーフィルタ配列について説明したが、カラーフィルタの種類は、これに限定されるものではない。
【００９７】
また、上記各実施形態では、フィルタを作成する際、被写体内エリア及び被写体包含エリアの空間周波数を比較するが、この比較をするときに被写体と背景の空間周波数が同一であると判定される場合がある。この場合には、被写体内エリアを用いて相関演算を行えばよい。
【符号の説明】
【００９８】
１０  撮像装置
２０  撮像レンズ
２１  固体撮像素子
２８  表示部
２９  システム制御部
４０  位相差検出エリア
６０  被写体内エリア
６２  被写体包含エリア
７０  曲線
７２  曲線
【図１】
0005615756.tif 000002
【図２】
0005615756.tif 000003
【図３】
0005615756.tif 000004
【図４】
0005615756.tif 000005
【図５】
0005615756.tif 000006
【図６】
0005615756.tif 000007
【図７】
0005615756.tif 000008
【図８】
0005615756.tif 000009
【図９】
0005615756.tif 000010
【図１０】
0005615756.tif 000011
【図１１】
0005615756.tif 000012
【図１２】
0005615756.tif 000013
【図１３】
0005615756.tif 000014
【図１４】
0005615756.tif 000015
【図１５】
0005615756.tif 000016
【図１６】
0005615756.tif 000017
【図１７】
0005615756.tif 000018
【図１８】
0005615756.tif 000019
【図１９】
0005615756.tif 000020